(57)【特許請求の範囲】
【請求項１】
透液性表面シートと不透液性裏面シートとの間に吸収体が介在された吸収性物品において、
前記吸収性物品の表面側であってかつ前端部領域および／または後端部領域に、前記吸収性物品の長手方向中心線を跨いで両側にそれぞれ、前記長手方向中心線側とは反対側に曲率中心を有する曲線であって、吸収性物品の端縁側に行くに従って漸次、前記長手方向中心線に接近する線状エンボスを形成したことを特徴とする吸収性物品。
【請求項２】
前記線状エンボスは、吸収体の前後端縁および側縁から離間した位置を終始端点としている請求項１記載の吸収性物品。
【請求項３】
前記線状エンボスの曲率半径が６０mm±２０mmである請求項１、２いずれかに記載の吸収性物品。
【請求項４】
前記長手方向中心線の両側に夫々形成した線状エンボス同士が最も近接する位置での幅方向距離が０〜２０mmである請求項１〜３いずれかに記載の吸収性物品。
【発明の詳細な説明】
【０００１】
【発明の属する技術分野】
本発明は、経血やおりものなどを吸収するための生理用ナプキン、パンティライナー、失禁パッド等の吸収性物品に関する。
【０００２】
【従来の技術】
従来より、生理用ナプキン、パンティライナー、おりものシート、失禁パッドなどの吸収性物品としては、例えば図９に示されるように、ポリエチレンシートまたはポリエチレンラミネート不織布などからなる不透液性裏面シート５０と、不織布または透孔性プラスチックシートなどからなる透液性表面シート５１との間に綿状パルプなどからなる吸収体５２を介在させたものが知られている。
【０００３】
この種の吸収性物品においては、種々の目的に応じて表面側にエンボス（プレスによる立体溝）が付与されている。図９に示される吸収性物品の例では、左右両側にほぼ長手方向に沿って形成される左右一対の側部エンボス５５，５５は、排血相当部位を山状に盛り上げるとともに、経血の拡散を防止するためのものであり、排血相当部位を挟んで前後位置に形成された弧状エンボス５６，５６は、前後方向への経血の拡散を防止するためのものであり、後部側に形成された曲線エンボス５７は、エンボスで囲まれた内側領域を隆起させ臀部の窪みにフィットさせ、経血の後ろ漏れを防止するためのものである。
【０００４】
【発明が解決しようとする課題】
前述のように、エンボスを付与することにより、身体への密着性を向上させ、横漏れや前後漏れを防止する試みが種々行われているものの、これらはいずれもエンボスで区画された領域を隆起させ、局部的に身体との密着を図るものが殆どである。
【０００５】
他方、この種の吸収性物品は、三次元的形状を成す身体へ身に付けるものであるにも拘わらず、この観点から吸収性物品を身体に密着（フィット）し易い形状に成形する試みを行うものは数少ない。
【０００６】
そこで本発明の主たる課題は、吸収性物品の前端部領域および／または後端部領域をショーツ（身体）のカーブ形状に沿った三次元的形状に折り曲げ、着用感の向上を図るとともに、隙間を無くして前後漏れを防止することにある。
【０００７】
【課題を解決するための手段】
前記課題を解決するための本発明は、透液性表面シートと不透液性裏面シートとの間に吸収体が介在された吸収性物品において、
前記吸収性物品の表面側であってかつ前端部領域および／または後端部領域に、前記吸収性物品の長手方向中心線を跨いで両側にそれぞれ、前記長手方向中心線とは反対側に曲率中心を有する曲線であって、吸収性物品の端縁側に行くに従って漸次、前記長手方向中心線に接近する線状エンボスを形成したことを特徴とするものである。
【０００８】
この場合において、前記線状エンボスは、吸収体の前後端縁および側縁から離間した位置を終始端点としていることが望ましい。また、前記線状エンボスの曲率半径が６０mm±２０mmであり、かつ前記長手方向中心線の両側に夫々形成した線状エンボス同士が最も近接する位置での幅方向距離が０〜２０mmであることが望ましい。
【０００９】
【発明の実施の形態】
以下、本発明の実施の形態について図面を参照しながら詳述する。
【００１０】
図１は本発明の第１形態例に係る生理用ナプキン１Ａの展開図、図２は図１のII−II線矢視図、図３は図１のIII−III線矢視図である。
【００１１】
前記生理用ナプキン１Ａは、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、表面両側部にそれぞれ長手方向に沿って形成されたサイド不織布６，６とから構成され、前記吸収体４の周囲において、その上下端縁部では、前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布６とがホットメルトなどの接着剤やヒートシール等の接着手段によって接合されている。
【００１２】
以下、さらに前記生理用ナプキン１Ａの構造について詳述すると、
前記不透液性裏面シート２は、ポリエチレンシートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００１３】
次いで、前記透液性表面シート３としては、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。図示の例では、前記透液性表面シート３は、表面側の多孔性プラスチックシート３Ａと、裏面側に親水性不織布３Ｂとによる２層構成となっている。
【００１４】
前記透液性表面シート３として、上記２層構成のシートを用いた場合には、経血やおりもの等（以下、まとめて体液という。）が速やかに吸収されるようになるとともに、肌と接触する表面はドライタッチ性に優れたものとなる。なお、この場合には本例のように、吸収体４を囲繞するクレープ紙５を設け、結果的に透液性表面シート３と吸収体４との間にクレープ紙５が介在するようにすれば、吸収性に優れる前記クレープ紙５によって体液を速やかに拡散させるとともに、これら経血等の逆戻りを防止するようになる。
【００１５】
一方、前記透液性表面シート３の上面には、排血対応部位Ｈを跨ぐ両側部にそれぞれ、後方側まで延在するとともに、略長手方向に沿うサイドエンボス７Ａ，７Ｂが形成されているとともに、前記排血対応部位Ｈの前後部にそれぞれ弧状エンボス８Ａ，８Ｂが形成されている。これらサイドエンボス７Ａ、７Ｂおよび弧状エンボス８Ａ、８Ｂは、主として区画された排血対応部位Ｈを含む領域を隆起させるとともに、経血の拡散を防止するためのエンボスである。
【００１６】
一方、本吸収性物品１Ａでは、上面の前端部領域に、前記吸収性物品１Ａの長手方向中心線Ｌを跨いで両側にそれぞれ、吸収性物品の前側端縁に行くに従って漸次、長手方向中心線Ｌに接近する線状エンボス１０Ａ、１０Ｂを形成しているとともに、後端部領域にも同様に、前記吸収性物品１Ａの長手方向中心線Ｌを跨いで両側にそれぞれ、後端縁側に行くに従って漸次、長手方向中心線Ｌに接近する線状エンボス１１Ａ，１１Ｂを形成している。これら線状エンボス１０Ａ、１０Ｂ（１１Ａ、１１Ｂ）（以下、成形用エンボスという。）は、前記サイドエンボス７Ａ、７Ｂおよび弧状エンボス８Ａ、８Ｂとは目的が異なり、装着した際、ショーツ側からの押圧力を受けることによって、ショーツのカーブ形状に追従して、前記成形用エンボス１０Ａ、１０Ｂ（１１Ａ、１１Ｂ）から端部側領域（図４のハッチング領域Ｆ、Ｆ）が夫々身体面側に折り曲がるようにするためのものである。
【００１７】
代表的に前端部側について前記成形用エンボス１０Ａ、１０Ｂによる作用を説明すると、装着時にショーツ側からの僅かな押圧力を受けることによって、前記成形用エンボス１０Ａ、１０Ｂから端部側領域Ｆ、Ｆがそれぞれ身体側に折れ曲がり、ナプキン１Ａの前端部は図５に示されるように、平面視でショーツ形状に沿うように曲線状に湾曲した形状となるため、身体との密着度が高まり前後漏れを防止するようになる。また同時に、着用感の向上が図れるようになる。なお、本例では生理用ナプキン１Ａの前端部領域および後端部領域の両方に成形用エンボス１０Ａ、１０Ｂ（１１Ａ、１１Ｂ）を設けるようにしたが、前端部領域および後端部領域の一方側にのみ設けるようにしてもよい。
【００１８】
前記成形用エンボス１０Ａ、１０Ｂ（１１Ａ、１１Ｂ）は、主としてショーツ形状に沿ってナプキンの三次元的成形を行うためのものであるが、当然に経血等の拡散防止機能も兼ねるため、成形用エンボス１０Ａ、１０Ｂ（１１Ａ、１１Ｂ）は、吸収体４の前後端縁および側縁から離間した位置を終始端点とするのが望ましい。
【００１９】
また、前記成形用エンボス１０Ａ、１０Ｂ（１１Ａ、１１Ｂ）から端部側領域（図４のハッチング領域Ｆ、Ｆ）を折曲げ易くするために、成形用エンボス１０Ａ、１０Ｂ（１１Ａ、１１Ｂ）は、該成形用エンボスよりも外方側に曲率中心を有し、その曲率半径Ｒが６０mm±２０mmであることが望ましい。曲率半径Ｒが４０mm未満の場合には曲率半径が小さ過ぎて折れ曲がり部分（図４のハッチング領域Ｆ、Ｆ）にシワが寄り円滑に折り曲げることが困難となり、曲率半径Ｒが８０mmを超える場合には、身体に対する密着度が得られ難くなる。
【００２０】
さらに、前記左右対で形成した成形用エンボス１０Ａ、１０Ｂ（１１Ａ、１１Ｂ）同士が最も近接する位置での幅方向距離（近位点間距離）Ｄは０〜２０mmの範囲であることが望ましい。近位点間距離が０未満、すなわち成形用エンボスが交差する場合にはショーツ形状に沿うような曲線状の湾曲が得られないとともに、近位点間距離Ｄが２０mmを超える場合には、前記湾曲形状が身体の湾曲形状と整合しないようになり好ましくない。
【００２１】
他方、前記不透液性裏面シート２と透液性表面シート３との間に介在される吸収体４は、たとえばフラッフ状パルプと吸水ポリマーとにより構成されている。前記吸水性ポリマーは吸収体を構成するパルプ中に例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用できる。前記吸収体４は、前記成形用エンボス１０Ａ、１０Ｂ（１１Ａ、１１Ｂ）によって効果的に吸収体４を折曲げできるようにするには極力薄い方が好ましい。具体的には吸収体４の厚みは０．５〜２．５mm程度であるのが好ましい。
【００２２】
一方、本生理用ナプキン１Ａにおいては、前記不透液性裏面シート２は吸収性物品の両側部において吸収体４の側縁を若干越えた位置をシート端２ａ、２ａとしており、一方、前記透液性表面シート３の幅寸法は、図２の横断面図にも示されるように、吸収体４の幅よりも若干大きめとされ、吸収体４を越えた位置で前記不透液性裏面シート２に接着され、表面がわ両側部にはそれぞれ、長手方向に沿って、かつ吸収性物品のほぼ全長に亘ってサイド不織布６，６が設けられている。
【００２３】
このサイド不織布６は、本来、前記吸収体４に吸収された体液が側縁部まで達した後、表面側に滲み出すのを防止するために設けられるものであるが、本生理用ナプキン１Ａでは特に、前記サイド不織布６の一部を側方に延在させることにより、略排血対応部位Ｈの側方に夫々前記ウイング状フラップＷ、Ｗを形成するとともに、後側寄り位置に第２ウイング状フラップＷB、ＷBを形成するようにしている。この際、前記不透液性裏面シート２は、ウイング状フラップＷの折返し線ＲＬを越えて外側に延在しないようにするとともに、不透液性裏面シート２のシート端２ａ、２ａをウイング状フラップＷの折返し線ＲＬの近傍位置とするのが望ましい。このように、ウイング状フラップＷの折返し線ＲＬ近傍に不透液性裏面シート２のシート端２ａを位置させることにより、両者のコシの差、すなわち折返し線ＲＬよりも外側部分が不織布より構成され、一方、内側部分が不織布およびプラスチックフィルムより構成されることによる剛性の差により前記ウイング状フラップＷおよび第２ウイング状フラップＷＢが折り曲げ易くなる。
【００２４】
前記サイド不織布６としては、経血やおりもの等が浸透するのを防止する、あるいは肌触り感を高めるなどの目的に応じて、シリコン系、パラフィン系、アルキルクロミッククロリド系撥水剤などをコーティングした撥水処理不織布を用いて構成されている。かかるサイド不織布６としては、天然繊維、合成繊維または再生繊維などを素材として、適宜の加工法によって形成されたものを使用することができるが、好ましくは目付け量を抑えて通気性を持たせた不織布を用いるのがよい。しかし、通気性を優先し過ぎると生理用ナプキン固定用フラップとしての強度を確保し得なくなるため、具体的には目付け量を２５〜５０g/m2とするとともに、引裂強度：０．２kg/30mm以上、好ましくは０．２５kg/30mm以上、引張強度：２．０kgf/30mm以上、好ましくは２．５kgf/30mm以上、剛度（JIS L 1096）〔JIS  45°カンチレバー法〕:６５mm以上、好ましくは７０mm以上の条件を満たすように作製された不織布を用いるのが望ましい。前記引裂強度は、サンプルを６０mm×７０mmにカットし、そのサンプルの中央に３０mmの切込みを入れ、ストログラフ試験機を使用し、クロスヘッドスピード：３００mm/min、チャック間距離：４０mmの測定条件で試験を行った場合の引裂強度値であり、前記引張強度は、サンプルを３０mm×１７０mmにカットし、ストログラフ試験機を使用し、クロスヘッドスピード：５００mm/min、チャック間距離：１５０mmの測定条件で試験を行った場合の引張強度値である。
【００２５】
ところで、前記不透液性裏面シート２の非使用面側（外面）にはショーツに対する固定のために適宜の塗布パターンによって粘着層が形成されるとともに、前記ウイング状フラップＷおよび第２ウイング状フラップＷＢの外面側にも適宜の塗布パターンによって粘着層が形成され（図示せず）、未使用製品状態ではこれらの粘着層を覆う剥離紙（図示せず）が設けられる。この場合、前記ウイング状フラップＷ、第２ウイング状フラップＷＢが不織布であると、塗布された粘着剤が不織布に浸透し所定の粘着力を発揮し得ない事態が生じる。そこで、図６に示されるように、前記ウイング状フラップＷおよび第２ウイング状フラップＷＢに対して面状のヒートエンボス処理（クロスハッチング領域）を施し、一部をフィルム化し、このフィルム化領域１２に粘着剤を塗布するようにするのが望ましい。
【００２６】
また、使用に当たっては、前記剥離紙を剥がした上で、図７に示されるように、ウイング状フラップＷの付け根の折返し線ＲＬにて反対側、すなわちショーツ３０の股間部を巻き込むように折返し、ショーツ３０のクロッチ部分に止着するが、前記ウイング状フラップＷが不織布であると、前記剥離紙を剥離させた際に、ウイング状フラップＷを構成する不織布が層間剥離を起こすことが懸念されるが、前記フィルム化処理によって不織布の層間剥離も同時に防止されるようになる。
【００２７】
さらに、生理用ナプキン１Ａの装着時において、前記ウイング状フラップＷを引っ張ってショーツの股間部に止着させる際、この引張力が前記ウイング状フラップＷからサイド不織布６に伝達され、サイド不織布６と不透液性裏面シート２との剥離が生じることがある。これを防止するために、前記吸収体側縁よりも外方位置において、不透液性裏面シート２とサイド不織布６とを長手方向に沿う線状のヒートシール９によって固着するようにしてある。この線状ヒートシール９は、概ねナプキン製品長さの１／５以上の長さ範囲に亘って形成するのが望ましい。
【００２８】
他方、前記サイド不織布６の内方側は、図２に示されるように、吸収体４の側縁よりも内側に所定幅Ｓ1だけ重なりをもって配設され、その内方がわ側縁の数mm幅分Ｓ2は透液性表面シート３に接着せずに、前記ウイング状フラップＷを反対側に折り返した際、内側斜め上方に向かってある程度の起立を示すようになっている。その結果、粘性が高く透液性表面シート３の表面を流れる場合があっても、前記ある程度起立を示す内方がわ側縁部（前記Ｓ2部分）が経血等を阻止する障堰となって横漏れを防止するようになるとともに、サイド不織布６の撥水性により前記吸収体４に吸収された経血やおりもの等を吸収体４の側部よりも外部に透過させず、かつ滲み出しを防止するようになっている。
【００２９】
ところで、前記サイド不織布６の内方がわ側縁部を起立させ、立体ギャザーＢＳを形成することも可能である。具体的には図８に示されるように、サイド不織布６の内方側において、透液性表面シート３に接着されない所定幅の自由縁部を形成するとともに、その先端部分を二重に折り返し、この折返し内部に１または複数本の弾性伸縮部材、図示例では２本の弾性伸縮部材１３，１３を配設し、製品状態で表面側に起立する立体ギャザーＢＳを形成するようにしてもよい。この立体ギャザーＢＳの形成によって、より確実に経血等の横漏れが防止できるようになる。この立体ギャザーＢＳは、前後端部での経血漏れを確実に無くすために、好ましくは前記前部側成形用エンボス１０Ａ、１０Ｂの形成領域を含み、かつ後部側成形用エンボス１１Ａ、１１Ｂの形成領域を含む範囲に亘って形成するのが望ましい。そして、弾性伸縮部材１３のテンションは、１００〜３００％、好ましくは１５０％程度とするのがよい。
【００３０】
【発明の効果】
以上詳説のとおり本発明によれば、吸収性物品の前端部領域および／または後端部領域をショーツ（身体）のカーブ形状に沿った三次元的形状に折り曲げ、着用感の向上を図るとともに、隙間を無くして前後漏れを防止することが可能になる。
【図面の簡単な説明】
【図１】  本発明に係る生理用ナプキン１Ａの展開図である。
【図２】  図１のII−II線矢視図である。
【図３】  図１のIII−III線矢視図である。
【図４】  前端部側成形用エンボス１０Ａ、１０Ｂの機能説明図である。
【図５】  前端部側成形用エンボス１０Ａ、１０Ｂによるナプキン前端部の成形状態図である。
【図６】  ウイング状フラップＷへのフィルム化処理要領を示す要部拡大図である。
【図７】  本生理用ナプキン１Ａの装着状態図を示す斜視図である。
【図８】  本発明に係る生理用ナプキンの他例を示す展開図である。
【図９】  従来の生理用ナプキンの展開図である。
【符号の説明】
１Ａ…生理用ナプキン、２…不透液性裏面シート、３…透液性表面シート、３Ａ…多孔性プラスチックシート、３Ｂ…親水性不織布、４…吸収体、５…クレープ紙、６…サイド不織布、７Ａ・７Ｂ…サイドエンボス、８Ａ・８Ｂ…弧状エンボス、９…線状ヒートシール、１０Ａ・１０Ｂ…前端部側成形用エンボス、１１Ａ・１１Ｂ…後端部側成形用エンボス、１２…フィルム化領域、１３…弾性伸縮部材、ＲＬ…折返し線、Ｗ…ウイング状フラップ、ＷＢ…第２ウイング状フラップ、ＢＳ…立体ギャザー
【図１】
0004124314.tif 000002
【図２】
0004124314.tif 000003
【図３】
0004124314.tif 000004
【図４】
0004124314.tif 000005
【図５】
0004124314.tif 000006
【図６】
0004124314.tif 000007
【図７】
0004124314.tif 000008
【図８】
0004124314.tif 000009
【図９】
0004124314.tif 000010